(57)【要約】【課題】レンズ交換式の一眼レフデジタルカメラにおいて、レンズ交換する際や収納の際に装着されたレンズの取り外しを行うことが頻繁に行われカメラ本体は開口状態となるため内部に塵埃等が侵入し易くなる。そのため、内部の撮像素子に塵埃等の異物が付着した状態で撮影を行うと、被写体像と共に異物の影が撮像されてしまい、良好な撮影ができなくなる。【解決手段】カメラ本体に交換レンズが装着されていない状態で且つカメラ本体が所定の姿勢（カメラ開口部が下向き以外）にある場合には、カメラ開口部に塵埃等が侵入する可能性があるのでそれを回避するようにユーザーに対して警告を発するようにする（ステップ１０１〜１０５）。【選択図】図１
2006064739.tif 000002
【特許請求の範囲】
【請求項１】
撮像素子を有し交換レンズを着脱可能なカメラにおいて、
カメラ本体の姿勢を検知する姿勢検知手段と、前記交換レンズが前記カメラ本体に装着されているか否かを検知するレンズ検知手段と、ユーザーに対して所定の警告を行う警告手段を有し、前記レンズ検知手段による検知結果と前記姿勢検知手段による検知結果に応じて前記警告手段を動作させる制御手段を有することを特徴とするカメラ。
【請求項２】
前記制御手段は、前記レンズ検知手段により交換レンズ装着されてないことを検知し、且つ、
前記姿勢検知手段によりカメラ本体が所定の姿勢にあることを検知した場合に前記警告手段を動作させることを特徴とする請求項１記載のカメラ。
【請求項３】
前記制御手段は、前記レンズ検知手段により交換レンズ装着されてないことを検知し、且つ、
前記姿勢検知手段によりカメラ本体が所定時間継続して所定の姿勢にあることを検知した場合に前記警告手段を動作させることを特徴とする請求項１記載のカメラ。
【請求項４】
前記姿勢検知手段が検知する前記カメラ本体の所定の姿勢とは、撮像素子が配置されるカメラ本体開口部の開口方向が略重力方向以外の方向となるカメラ本体の姿勢であることを特徴とする請求項２又はび３記載のカメラ。
【請求項５】
前記所定時間は、前記姿勢検知手段の出力に応じて変更されることを特徴とする請求項３記載のカメラ。
【請求項６】
前記所定時間は、前記姿勢検知手段により検知したカメラ本体開口部の開口方向が重力方向と相反する方向となるに従い短い時間とすることを特徴とする請求項５記載のカメラ。
【請求項７】
前記警告手段による警告はカメラ本体表示部への警告表示であることを特徴とする請求項１〜３の何れかに記載のカメラ。
【請求項８】
前記警告手段による警告は発音体によるものであることを特徴とする請求項１〜３の何れかに記載のカメラ。
【発明の詳細な説明】
【技術分野】
【０００１】
本発明は、カメラ本体の技術に関するものである。
【背景技術】
【０００２】
近年、撮影光学系（撮影レンズ）を透過した被写体からの光束に基づいて形成される被写体像を所定の位置に配置した固体撮像素子（例えばＣＣＤやＣＭＯＳセンサ）の光電変換面上に結像させ、当該撮像素子等の光電変換作用を利用して所望の被写体像を表わす電気的な画像信号等を生成し、この画像信号等に基づく信号を、例えば液晶表示装置（ＬＣＤ）等の所定の表示装置等へと出力して画像等を表示させたり、撮像素子等によって生成した画像信号等を所定の形態の画像データとして所定の記録媒体の所定の記録領域に記録し、更にこの記録媒体に記録された画像データを読み出して、その画像データに対して表示装置を用いて表示するのに最適な画像信号となるように変換処理した後、処理済の画像信号に基づいて、これに対応する画像を表示させ得るように構成した、所謂デジタルスチルカメラやデジタルビデオカメラ等のデジタルカメラ等が一般的に実用化され広く普及している。
【０００３】
そして、近年においては、一眼レフ方式のファインダー装置を具備すると共に、カメラ本体に対して撮影光学系を着脱自在となるように構成し、使用者が所望するときに所望の撮影光学系を任意に着脱し交換することで、単一のカメラ本体において複数種類の撮影光学系を選択的に使用し得るように構成した所謂レンズ交換可能な形態のデジタルカメラが一般に実用化されつつある。このようなレンズ交換可能な形態のデジタルカメラにおいては、当該撮影光学系をカメラ本体から取り外した際に、カメラ本体の内部に空気中に浮遊する塵埃等が侵入する可能性がある。又、カメラ本体内部には、例えばシャッター・絞り機構等、機械的に動作する各種の機構が配設されていることから、これら各種の機構等からは、その動作中に塵埃等が発生する場合もある。
【０００４】
又、撮影光学系をカメラ本体から取り外した際には、当該撮影光学系の後方に配置される撮像素子の受光面がカメラ内部の外気に露呈されることになることから、塵埃等が帯電作用等の要因によって撮像素子の光電変換面に付着することがある。このような塵埃等の異物が撮像素子に付着した状態で撮影を行うと、被写体像と共に異物の影が撮像素子によって撮像されてしまい、良好な撮影ができなくなるという問題が生じる。
【０００５】
そこで、従来のレンズ交換可能な一眼レフデジタルカメラ等においては、帯電作用等に起因して撮像素子の受光面上に塵埃等が付着するのを抑制するための技術が、例えば特許文献１等によって提案されている。
【０００６】
上記特許文献１に開示されている手段は、レンズ交換可能な一眼レフデジタルカメラにおいて、カメラ内部に設けられる撮像素子の受光面を覆うカバー部材の表面に透明電極を設け、この電極に対して直流電圧若しくは数ｋＨｚ〜２０ｋＨｚ程度の周波数の交流電圧を印加することによって、帯電作用によって撮像素子の受光面上に塵埃等が付着するのを抑制するようにしたものである。当該公報に開示されている手段によれば、撮像素子に生起する電荷を中和することによって静電気等に起因して撮像素子の受光面に塵埃等が付着するのを抑制することができるというものである。
【０００７】
【特許文献１】特開２０００−２９１３２号公報
【発明の開示】
【発明が解決しようとする課題】
【０００８】
しかしながら、この特許文献１に開示されている手段を採用するに当たっては、カメラの構成が複雑になり、コストも大きく上昇してしまう問題が生じる。カメラの大幅なコストアップは製品自体の競争力を落とし兼ねないものである。又、前記開示技術では侵入してきた塵埃等を撮像素子に付着するのを抑制しようとしたものであり、塵埃等の侵入の機会・可能性を直接低減しようとするものではない。塵埃等が撮像素子へ付着しないようにするためには、先ず、塵埃等の侵入の機会・可能性を減少させることが必要である。
【０００９】
本発明は、レンズ交換式一眼レフデジタルカメラにおいて、簡単な構成で簡易的に撮像素子に塵埃等が付着する機会・可能性を極力低減することが可能なカメラを提供することを目的とする。
【課題を解決するための手段】
【００１０】
上記目的を達成するため、本発明は、撮像素子を有し交換レンズを着脱可能なカメラにおいて、カメラ本体の姿勢を検知する姿勢検知手段と、前記交換レンズが前記カメラ本体に装着されているか否かを検知するレンズ検知手段と、ユーザーに対して所定の警告を行う警告手段を有し、前記レンズ検知手段による検知結果と前記姿勢検知手段による検知結果に応じて前記警告手段を動作させる制御手段を有することを特徴とする。
【発明の効果】
【００１１】
本発明によれば、レンズ交換式一眼レフデジタルカメラにおいて、交換レンズをカメラから取り外した状態においてカメラの開口部に塵埃等が入り易い姿勢を検知した場合にはその姿勢の回避を行うようにユーザーに警告により促すようにした。従って、ユーザーが回避姿勢を取ることにより、撮像素子に塵埃等が付着する機会・可能性を極力低減することが可能なカメラを提供することができる。
【発明を実施するための最良の形態】
【００１２】
以下、本発明を図示の実施の形態に基づいて詳細に説明する。
【００１３】
＜実施の形態１＞
先ず、本発明に記載のカメラの実施の形態１について、カメラ本体に装着される交換レンズと併せて説明する。
【００１４】
図１は本実施の形態のブロック図である。
【００１５】
１００は本実施例におけるカメラ本体で、２００はカメラ本体１００に装着される交換レンズの一例である。カメラ本体１００内には、電気回路部１０１があり、電気回路部１０１は交換レンズを通ってきた光の量を測定するための測光部１０２、フィルム面上から、被写体までの距離を測定するための測距部１０３、撮像素子（ＣＣＤやＣＭＯＳセンサ等）に適当な時間露光するためのシャッター１０４、撮像素子１０５、これらのカメラ内の制御を行うカメラ本体内ＣＰＵ１０６、レンズとのシリアル通信を行うための通信手段１０７、カメラの各種情報を表示する表示手段１０８、警告音等を発するための発音手段１０９を有する。又、カメラ本体１００内にはカメラ及び交換レンズを動作させる電源１１０も含まれる。更に、カメラ本体１００の姿勢を検知する加速度センサ１１１、交換レンズ２００が装着されているか否かを検知するレンズ検知手段１１２を有する。
【００１６】
又、交換レンズ２００内には、２０１は交換レンズ２００中のフォーカシングレンズ、２０２はズーミングレンズ、２０３は絞り、２０４はズーミングレンズ２０２の位置を検出するためのズーム位置検出用ブラシ、２０５はフォーカシングレンズ２０１の位置を検出するためのフォーカス位置検出用ブラシ、２０６はオートフォーカスとマニュアルフォーカスを切り替えるＡ／Ｍスイッチ、２０７は交換レンズ２００内の電気回路部で、電気回路部２０７内には、交換レンズ２００内の制御を行うレンズ内ＣＰＵ２０８、カメラとの間でシリアル通信を行うための通信手段２０９を有する。更に、交換レンズ２００内にはフォーカシングレンズの駆動制御を行うためのレンズ駆動制御部２１１、フォーカシングレンズを駆動するためのレンズ駆動用モータ２１２、絞りの駆動制御を行うための絞り制御部２１３、絞りを駆動するための絞り駆動用モータ２１４、フォーカシングレンズ２０１の移動に伴ってパルス信号を出力するパルス発生手段２１５が含まれる。更に、交換レンズ２００の装着をカメラ本体１００が検知できるようレンズ検知伝達手段２１６（例えばメカ突起部材）を有する。
【００１７】
続いてカメラ本体１００の姿勢検知方法を図２に基づいて説明する。
【００１８】
姿勢検出は加速度センサ１１１の出力から判定する。図２に示すように、１軸検出タイプの加速度センサ１１１がカメラ本体に対して角度θ（Ｚ平面と検出軸がなす角）を検出可能なように、カメラ開口方向とセンサの検出軸が一致するように配置されている。加速度センサの出力は角度θが−９０度〜＋９０度まで変化すると、重力加速度の影響に応じて出力が変化する。加速度センサの出力感度がｘ（ｇ／Ｖ）、０ｇ出力からの出力変化量をΔα（Ｖ）とすると、カメラ本体の姿勢角度θは次式で与えられる。
【００１９】
【数１】
2006064739.tif 000003
よって、カメラ本体の姿勢が容易に算出される。
【００２０】
続いてカメラ本体の姿勢とカメラ開口部への塵埃等の侵入との関係を図３に基づいて説明する。
【００２１】
カメラ開口部に最も塵埃等が入り易いカメラの姿勢は図３（ａ）の姿勢（角度θ≒９０度）である。カメラの開口部が上向きになっているため、大気中の塵埃等が開口部に侵入し易い。次に塵埃等が入り易いカメラの姿勢は図３（ｂ）の姿勢（角度θ≒０度）である。この姿勢ではカメラ開口部は横方向を向いており、（ａ）の場合よりは入りにくいが、屋外等で風がある状況下では風向きによっては塵埃等が入り易くなる。最も塵埃等が入りにくいカメラの姿勢が図３（ｃ）（角度θ≒−９０度）である。この姿勢ではカメラ開口部は下方向（重力方向）を向いており風や大気の影響を最も受けにくい。
【００２２】
よって、カメラに交換レンズが装着されていない場合には、図３（ｃ）の姿勢になるようにユーザーに注意を促すことが必要である。従って、（ｃ）の姿勢以外が検出された場合には、カメラ本体の表示手段１０８に塵埃等が入りにくいカメラ開口部が下向きの姿勢になるように促す警告文を表示したり、発音手段１０９により警告音を鳴らしてユーザーに注意を促すようにする。
【００２３】
続いて、前述した動作のカメラ本体ＣＰＵの処理について図４のフローチャートを用いてステップ（Ｓ）１０１より説明する。
「ステップ１０１」
カメラ本体に交換レンズが装着されているか否かを判定する。レンズが装着されていればステップ１０２へ進み、装着されていなければステップ１０３へ進む。尚、カメラ本体の交換レンズの検知方法としては、例えば交換レンズに突起状のメカ部材（レンズ検知伝達手段２１６）が備えられており、交換レンズが装着された状態ではカメラ本体に備えられたレンズ検知スイッチ（レンズ検知手段１１２）が前記突起状のメカ部材を検知することにより行うものとする。
「ステップ１０２」
カメラ本体に交換レンズが装着されていると判定されたので以後は通常の撮影動作を行う。
「ステップ１０３」
カメラ本体に交換レンズが装着されていないと判定されたので加速度センサの出力からカメラ本体の姿勢を算出する。
「ステップ１０４」
ステップ１０３にて算出されたカメラ本体の姿勢からカメラ開口部がどの方向にあるかを判定する。カメラ開口方向が重力方向と略一致（例えば角度θが−９０≦θ（ｄｅｇ）≦−４５）すれば開口方向は下向きと判断され、塵埃等の侵入の可能性は低いと考えられるでそのまま処理を終了する。それ以外の場合はステップ１０５へ進む。
「ステップ１０５」
カメラ開口部に塵埃等が侵入する可能性がある姿勢（例えば角度θが−４５＜θ（ｄｅｇ）≦＋９０）であると判断されるので表示手段１０８による警告表示（カメラ開口方向を下向きにするように促す旨の警告文等）や発音手段１０９による警告音等によりユーザーに対してカメラ開口部を下向きにするように促す。
【００２４】
尚、前述の角度θが＋９０度〜＋１８０度、−９０度〜−１８０度となる場合でも、重力加速度の方向と加速度センサの検出軸の関係はこれまでに説明した−９０〜０〜＋９０度の時の関係と全く同じであるため、同様に検出することが可能であり同様な制御となる。
【００２５】
以上説明したように本実施の形態によれば、カメラ本体に交換レンズが装着されていない状態で且つカメラ開口部が下向き以外にある場合には、カメラ開口部に塵埃等が侵入する可能性があるのでそれを回避するようにユーザーに対して警告を発するようにした。よって、ユーザーが回避姿勢をとることによって撮像素子に塵埃等が付着する機会・可能性を極力低減することが可能となる。
【００２６】
＜実施の形態２＞
次に、本発明の実施の形態２について説明する。
【００２７】
前記実施の形態１では、レンズが取り外されている状態を検知し且つカメラ本体の所定の姿勢を検知するとすぐに警告を発するようにしていた。しかし、カメラ本体の所定の姿勢を検知するとすぐに警告が発せられると、短い時間でレンズ交換のみを行うときには却って煩わしいものとなる可能性があり使い勝手が悪い。又、カメラの開口方向の違いによっても塵埃等の侵入の可能性の度合いも異なると考えられる。よって、本実施の形態においては、レンズが取り外されている状態を検知し、且つ、所定時間継続して所定の姿勢にあることを検知すると警告を発するようにし、又、前述の所定の時間は検知したカメラ本体の姿勢によって変更するようにした。
【００２８】
このときのカメラ本体ＣＰＵの処理について図５のフローチャートを用いて説明する。
「ステップ２０１」
カメラ本体に交換レンズが装着されているか否かを判定する。レンズが装着されていればステップ２０２へ進み、装着されていなければステップ２０３へ進む。尚、カメラ本体の交換レンズの検知方法としては、例えば交換レンズに突起状のメカ部材（レンズ検知伝達手段２１６）が備えられており、交換レンズが装着された状態ではカメラ本体に備えられたレンズ検知スイッチ（レンズ検知手段１１２）が前記突起状のメカ部材を検知することにより行うものとする。
「ステップ２０２」
カメラ本体に交換レンズが装着されていると判定されたので以後は通常の撮影動作を行う。
「ステップ２０３」
カメラ本体に交換レンズが装着されていないと判定されたので加速度センサの出力からカメラ本体の姿勢を算出する。
「ステップ２０４」
ステップ２０３にて算出されたカメラ本体の姿勢からカメラ開口部がどの方向にあるかを判定する。カメラ開口方向が略下方向（例えば角度θが−９０≦θ（ｄｅｇ）≦−４５）ならば塵埃等の侵入の可能性は低いと考えられるでそのまま処理を終了する。又、カメラ開口方向が略上方向（例えば角度θが＋４５＜θ（ｄｅｇ）≦＋９０）ならばステップ２０５へ進む。又、カメラ開口方向が略横方向（例えば角度θが−４５＜θ（ｄｅｇ）≦＋４５）ならばステップ２０７へ進む。
「ステップ２０５」
カメラの開口方向は略上方向であり、開口部へ塵埃等が侵入する可能性が最も高い。よって、比較的早いタイミングで警告を行う方が良い。ここで、カメラ開口方向が所定時間継続して略上方向の状態であること検出するためのタイマー１をスタート又はカウントアップさせる。略横方向の状態を検出するためのタイマー２は０にリセットする。
「ステップ２０６」
タイマー１の値が所定時間X 秒経過したか否かを判定する。尚、前記の所定時間Ｘの設定についてはステップ２０７において説明を行う。所定時間経過していればステップ２０９へ進み、経過していなければステップ２０３へ戻り姿勢検知を継続して行う。
「ステップ２０７」
カメラの開口方向は略横方向であり、略上方向のときよりも開口部へ塵埃等が侵入する可能性はやや低い。又、この姿勢範囲が最も頻繁にレンズ交換が行われると予想される。よって、警告を発するまでのタイミングはカメラの開口方向が略上向きの時よりも若干遅めに設定する方が良い（つまり、タイマー１と２で検出する所定時間ＸとＹの関係はＸ＜Ｙ（秒）となる）。ここで、カメラ開口方向が所定時間継続して略横方向の状態であること検出するためのタイマー２をスタート又はカウントアップさせる。略上方向の状態を検出するためのタイマー１は０にリセットする。
「ステップ２０８」
タイマー２の値が所定時間Ｙ秒経過したか否かを判定する。所定時間経過していればステップ２０９へ進み、経過していなければステップ２０３へ戻り姿勢検知を継続して行う。
「ステップ２０９」
カメラ開口部に塵埃等が侵入する可能性がある姿勢（角度θは−４５＜θ（ｄｅｇ）≦＋９０）であると判断されるので、表示手段１０８への警告表示（カメラ開口方向を下向きにするように促す旨の警告文等）や発音手段１０９による警告音等によりユーザーに対してカメラ開口部を下向きにするように促す。
【００２９】
尚、前述の角度θが＋９０度〜＋１８０度、−９０度〜−１８０度となる場合でも、重力加速度の方向と加速度センサの検出軸の関係はこれまでに説明した−９０〜０〜＋９０度の時の関係と全く同じであるため、同様に検出することが可能であり、同様な制御となる。
【００３０】
以上説明したように本実施の形態によれば、カメラ本体に交換レンズが装着されていない状態で且つカメラ本体が所定の姿勢にある場合には、カメラ開口部に塵埃等が侵入する可能性があるのでそれを回避するようにユーザーに対して警告を発するようにし、又、警告を発するまでの時間を検知した姿勢に応じて変更するようにした。よって、ユーザーが回避姿勢を取ることによって撮像素子に塵埃等が付着する機会・可能性を極力低減することが可能となるとともに、より使い勝手が良くなる。
【図面の簡単な説明】
【００３１】
【図１】本発明の実施の形態１におけるカメラシステムのブロック図である。
【図２】本発明の実施の形態１におけるカメラ本体の姿勢検知方法を説明する図である。
【図３】本発明の実施の形態１におけるカメラ本体の姿勢とカメラ開口部への塵埃等の侵入との関係を説明する図である。
【図４】本発明の実施の形態１におけるカメラ本体ＣＰＵの処理を説明するフローチャートである。
【図５】本発明の実施の形態２におけるカメラ本体ＣＰＵの処理を説明するフローチャートである。
【符号の説明】
【００３２】
１００    カメラ本体
１０１    カメラ本体内電気回路部
１０２    測光部
１０３    測距部
１０４    シャッター
１０５    撮像素子
１０６    カメラ本体内ＣＰＵ
１０７    通信手段
１０８    表示手段
１０９    発音手段
１１０    カメラ内電源
１１１    加速度センサ
１１２    レンズ検知手段
２００    交換レンズ
２０１    フォーカシングレンズ  
２０２    ズーミングレンズ
２０３    絞り
２０４    ズーム位置検出用ブラシ
２０５    フォーカス位置検出用ブラシ
２０６    Ａ／Ｍスイッチ
２０７    交換レンズ内電気回路部
２０８    レンズ内ＣＰＵ
２０９    通信手段
２１１    レンズ駆動制御部
２１２    レンズ駆動用モータ
２１３    絞り制御部
２１４    絞り駆動用モータ
２１５    パルス発生手段
２１６    レンズ検知伝達手段
【図１】
2006064739.tif 000004
【図２】
2006064739.tif 000005
【図３】
2006064739.tif 000006
【図４】
2006064739.tif 000007
【図５】
2006064739.tif 000008